(57)【要約】【課題】シール紙に印刷された画像に適度な透明感をもたせる。【解決手段】撮影処理部は、利用者を被写体として撮影を行うことで撮影画像を生成し、編集処理部、撮影画像に対する編集入力として、撮影画像に合成用画像を合成し、印刷処理部は、撮影画像を、人物領域、背景領域、および合成用画像領域の領域毎に印刷可能とする。印刷処理部は、撮影画像における人物領域、背景領域、および合成用画像領域の各領域の少なくともいずれかを、シール部と台紙からなる透明シール紙に印刷する。シール部および台紙は、いずれも透明または半透明である。本技術は、写真シール作成装置に適用することができる。【選択図】図１９
2019113655.tif 000002
【特許請求の範囲】
【請求項１】
利用者を被写体として撮影を行うことで撮影画像を生成する撮影処理部と、
前記撮影画像に対する編集入力として、前記撮影画像に合成用画像を合成する編集処理部と、
前記撮影画像を、人物領域、背景領域、および合成用画像領域の領域毎に印刷可能な印刷処理部と
を備え、
前記印刷処理部は、前記撮影画像における前記人物領域、前記背景領域、および前記合成用画像領域の各領域の少なくともいずれかを、シール部と台紙からなる透明シール紙に印刷し、
前記シール部および台紙は、いずれも透明または半透明である
写真作成ゲーム機。
【請求項２】
前記印刷処理部は、前記撮影画像における前記人物領域、前記背景領域、および前記合成用画像領域の各領域のうち、前記人物領域と前記合成用画像領域を前記透明シール紙に印刷する
請求項１に記載の写真作成ゲーム機。
【請求項３】
前記印刷処理部は、前記撮影画像における前記人物領域、前記背景領域、および前記合成用画像領域の各領域のうち、前記人物領域と前記背景領域を前記透明シール紙に印刷する
請求項１に記載の写真作成ゲーム機。
【請求項４】
前記印刷処理部は、前記撮影画像における前記人物領域、前記背景領域、および前記合成用画像領域の各領域のうち、前記人物領域のみを前記透明シール紙に印刷する
請求項１に記載の写真作成ゲーム機。
【請求項５】
前記印刷処理部は、前記撮影画像における前記人物領域、前記背景領域、および前記合成用画像領域の各領域のうち、前記利用者により選択された領域を前記透明シール紙に印刷する
請求項１に記載の写真作成ゲーム機。
【請求項６】
前記印刷処理部は、前記撮影画像における前記人物領域、前記背景領域、および前記合成用画像領域の各領域の少なくともいずれかを、領域毎に異なる印刷濃度で前記透明シール紙に印刷する
請求項１に記載の写真作成ゲーム機。
【請求項７】
前記印刷処理部は、前記撮影画像における前記人物領域、前記背景領域、および前記合成用画像領域の各領域のうち、前記人物領域の印刷濃度を最も高くして前記透明シール紙に印刷する
請求項６に記載の写真作成ゲーム機。
【請求項８】
前記印刷処理部は、所定のシールレイアウトで配置された複数の前記撮影画像を、前記透明シール紙に印刷する
請求項１乃至７のいずれかに記載の写真作成ゲーム機。
【請求項９】
前記印刷処理部は、前記利用者によりあらかじめ選択されたコースに応じて、前記撮影画像を、前記透明シール紙または不透明な不透明シール紙に印刷する
請求項１乃至８のいずれかに記載の写真作成ゲーム機。
【請求項１０】
複数の前記撮影画像をサーバに送信する送信部をさらに備え、
前記送信部は、前記人物領域、前記背景領域、および前記合成用画像領域の各領域について、それぞれ別個に透過度が設定された前記撮影画像を前記サーバに送信する
請求項１乃至９のいずれかに記載の写真作成ゲーム機。
【請求項１１】
利用者を被写体として撮影を行うことで撮影画像を生成する撮影処理部と、
前記撮影画像に対する編集入力として、前記撮影画像に合成用画像を合成する編集処理部と、
前記撮影画像を、人物領域、背景領域、および合成用画像領域の領域毎に印刷可能な印刷処理部とを備える写真作成ゲーム機が、
前記撮影画像における前記人物領域、前記背景領域、および前記合成用画像領域の各領域の少なくともいずれかを、シール部と台紙からなる透明シール紙に印刷し、
前記シール部および台紙は、いずれも透明または半透明である
印刷方法。
【請求項１２】
コンピュータを、
利用者を被写体として撮影を行うことで撮影画像を生成する撮影処理部と、
前記撮影画像に対する編集入力として、前記撮影画像に合成用画像を合成する編集処理部と、
前記撮影画像を、人物領域、背景領域、および合成用画像領域の領域毎に印刷可能な印刷処理部と
して機能させるためのプログラムであって、
前記印刷処理部は、前記撮影画像における前記人物領域、前記背景領域、および前記合成用画像領域の各領域の少なくともいずれかを、シール部と台紙からなる透明シール紙に印刷し、
前記シール部および台紙は、いずれも透明または半透明である
プログラム。
【発明の詳細な説明】
【技術分野】
【０００１】
本技術は、写真作成ゲーム機、印刷方法、およびプログラムに関し、特に、透明シール紙の特性を活かしたより良い仕上がりを実現することができるようにする写真作成ゲーム機、印刷方法、およびプログラムに関する。
【背景技術】
【０００２】
従来、アミューズメント施設等に設置される写真シール機が知られている。写真シール機は、利用者を撮影し、利用者の操作に応じて撮影画像に対して編集を施す。写真シール機は、編集が施された撮影画像をシール紙に印刷する。
【０００３】
通常、写真シール機においては、白色で不透明なシール紙に撮影画像が印刷されるが、透明なシール紙に撮影画像を印刷する写真シール機も提案されている。
【０００４】
例えば、特許文献１には、透明なシール紙に、下地無しの透明画像と、下地有りの不透明画像を印刷できるようにした技術が開示されている。特許文献１の技術によれば、人物領域を下地有りの不透明画像とすることで、貼り付け対象となる物体表面の色や模様によらず、その人物領域を綺麗に発色させてはっきりと美しくみせることができる。
【先行技術文献】
【特許文献】
【０００５】
【特許文献１】特開２００５−１６７７８１号公報
【発明の概要】
【発明が解決しようとする課題】
【０００６】
通常、シール紙は、画像が印刷され粘着層を有するシール部と、シール部の粘着層を保護する台紙から構成され、シール部が台紙に貼着された状態で出力される。
【０００７】
しかしながら、特許文献１の透明なシール紙は、シール部が透明であっても、台紙が透明であるか否かが明確にされていない。台紙が不透明な場合、シール部が台紙に貼着された状態では、シール紙の後方にある物体表面の色や模様によらず、シール紙自体の見え方は変わらない。
【０００８】
一方で、台紙が透明な場合、シール紙の後方にある物体表面の色や模様によっては、撮影画像に合成されている背景画像、スタンプ画像やペン画像といった合成用画像などにおける細かい部分が見えにくくなるおそれがある。すなわち、シール部と台紙がともに透明なシール紙には、撮影画像における背景画像や合成用画像が印刷されない方が、そのシール紙の仕上がりが良くなる可能性がある。
【０００９】
本技術は、このような状況に鑑みてなされたものであり、透明シール紙の特性を活かしたより良い仕上がりを実現することができるようにするものである。
【課題を解決するための手段】
【００１０】
本技術の写真作成ゲーム機は、利用者を被写体として撮影を行うことで撮影画像を生成する撮影処理部と、前記撮影画像に対する編集入力として、前記撮影画像に合成用画像を合成する編集処理部と、前記撮影画像を、人物領域、背景領域、および合成用画像領域の領域毎に印刷可能な印刷処理部とを備え、前記印刷処理部は、前記撮影画像における前記人物領域、前記背景領域、および前記合成用画像領域の各領域の少なくともいずれかを、シール部と台紙からなる透明シール紙に印刷し、前記シール部および台紙は、いずれも透明または半透明である。
【００１１】
本技術の印刷方法は、利用者を被写体として撮影を行うことで撮影画像を生成する撮影処理部と、前記撮影画像に対する編集入力として、前記撮影画像に合成用画像を合成する編集処理部と、前記撮影画像を、人物領域、背景領域、および合成用画像領域の領域毎に印刷可能な印刷処理部とを備える写真作成ゲーム機が、前記撮影画像における前記人物領域、前記背景領域、および前記合成用画像領域の各領域の少なくともいずれかを、シール部と台紙からなる透明シール紙に印刷し、前記シール部および台紙は、いずれも透明または半透明である。
【００１２】
本技術のプログラムは、コンピュータを、利用者を被写体として撮影を行うことで撮影画像を生成する撮影処理部と、前記撮影画像に対する編集入力として、前記撮影画像に合成用画像を合成する編集処理部と、前記撮影画像を、人物領域、背景領域、および合成用画像領域の領域毎に印刷可能な印刷処理部として機能させるためのプログラムであって、前記印刷処理部は、前記撮影画像における前記人物領域、前記背景領域、および前記合成用画像領域の各領域の少なくともいずれかを、シール部と台紙からなる透明シール紙に印刷し、前記シール部および台紙は、いずれも透明または半透明である。
【００１３】
本技術においては、利用者を被写体として撮影を行うことで撮影画像が生成され、前記撮影画像に対する編集入力として、前記撮影画像に合成用画像が合成され、前記撮影画像が、人物領域、背景領域、および合成用画像領域の領域毎に印刷可能とされ、前記撮影画像における前記人物領域、前記背景領域、および前記合成用画像領域の各領域の少なくともいずれかが、シール部と台紙からなる透明シール紙に印刷され、前記シール部および台紙は、いずれも透明または半透明とされる。
【発明の効果】
【００１４】
本技術によれば、透明シール紙の特性を活かしたより良い仕上がりを実現することが可能となる。
【００１５】
なお、ここに記載された効果は必ずしも限定されるものではなく、本開示中に記載されたいずれかの効果であってもよい。
【図面の簡単な説明】
【００１６】
【図１】本技術の写真シール作成装置の外観の構成例を示す斜視図である。
【図２】写真シール作成装置の外観を他の角度からみた斜視図である。
【図３】利用者の移動について説明する図である。
【図４】事前選択部の構成例を示す図である。
【図５】撮影部の構成例を示す図である。
【図６】背景部の構成例を示す図である。
【図７】床材を示す斜視図である。
【図８】編集ユニットの正面の構成例を示す図である。
【図９】編集ユニットの側面の構成例を示す図である。
【図１０】写真シール作成装置の構成例を示すブロック図である。
【図１１】写真シール作成装置の機能構成例を示すブロック図である。
【図１２】写真シール作成ゲーム処理について説明するフローチャートである。
【図１３】透明シール紙の構成例を示す図である。
【図１４】透明シール紙の断面構造を示す図である。
【図１５】透明シール紙の他の構成例を示す図である。
【図１６】撮影画像の例を示す図である。
【図１７】編集画像の例を示す図である。
【図１８】編集画像のレイヤ構成について説明する図である。
【図１９】印刷処理の流れについて説明するフローチャートである。
【図２０】印刷後の透明シール紙の例を示す図である。
【図２１】印刷後の透明シール紙の例を示す図である。
【図２２】印刷後の透明シール紙の例を示す図である。
【図２３】印刷後の透明シール紙の例を示す図である。
【図２４】下地画像の印刷について説明する図である。
【図２５】下地画像の印刷について説明する図である。
【図２６】印刷処理の流れについて説明するフローチャートである。
【図２７】印刷処理の流れについて説明するフローチャートである。
【図２８】領域毎の印刷濃度の違いについて説明する図である。
【図２９】印刷処理の流れについて説明するフローチャートである。
【図３０】撮影画像の送信処理の流れについて説明するフローチャートである。
【発明を実施するための形態】
【００１７】
以下に、本技術を実施するための形態（以下、実施の形態という）について説明する。
【００１８】
＜写真シール作成装置の外観＞
図１および図２は、写真シール作成装置１の外観の構成例を示す斜視図である。
【００１９】
写真シール作成装置１は、撮影画像や編集画像を提供するゲーム機である。写真シール作成装置１は、画像をシール紙に印刷したり、画像を利用者の携帯端末上で閲覧可能にしたりすることで、利用者に画像を提供する。写真シール作成装置１は、ゲームセンターなどのアミューズメント施設や店舗に設置される。
【００２０】
写真シール作成装置１の利用者は、主に女子高生や若い女性が中心とされる。写真シール作成装置１において、１組あたり主に２人や３人などの複数人の利用者がゲームを楽しむことができる。もちろん、写真シール作成装置１において、１人の利用者がゲームを楽しむこともできる。
【００２１】
写真シール作成装置１において、利用者は、自身が被写体となって撮影作業を行う。利用者は、編集作業により、撮影によって得られた撮影画像の中から選択した画像に、手書きの文字やスタンプ画像などの合成用画像を合成させる。これにより、撮影画像が彩り豊かな画像に編集される。利用者は、編集済みの画像である編集画像が印刷されたシール紙を受け取って一連のゲームを終了させる。
【００２２】
写真シール作成装置１は、写真作成ゲームを提供する写真作成ゲーム機ということができる。
【００２３】
図１に示すように、写真シール作成装置１は、基本的に、撮影ユニット１１と編集ユニット１２が接した状態で設置されることによって構成される。撮影ユニット１１と編集ユニット１２は電気的に接続される。
【００２４】
撮影ユニット１１は、人が中に入ることができる程度の大きさを有する箱形状の筐体を有し、事前選択部２０、撮影部２１、および背景部２２から構成される。事前選択部２０は、撮影部２１の側面に設置される。事前選択部２０の前方の空間が、事前選択処理が行われる事前選択空間となる。また、撮影部２１と背景部２２は所定の距離だけ離して設置される。撮影部２１と背景部２２の間に形成される空間が、撮影処理が行われる撮影空間となる。
【００２５】
事前選択部２０は、事前選択処理として、写真シール作成装置１によって提供されるゲームを紹介するガイダンスを行ったり、撮影空間で行われる撮影処理における各種の設定を行ったりする。事前選択部２０には、利用者が代金を投入する硬貨投入口や、各種の操作に用いられるタッチパネルモニタなどが設けられる。事前選択部２０は、撮影空間の空き状況に応じて、適宜、事前選択空間にいる利用者を撮影空間へと案内する。
【００２６】
撮影部２１は、利用者を被写体として撮影するための装置である。撮影部２１は、撮影空間に入った利用者の正面に位置する。撮影空間に臨む撮影部２１の正面には、カメラや、各種の操作に用いられるタッチパネルモニタなどが設けられる。
【００２７】
撮影空間において正面を向いている利用者からみて左側の面を左側面、右側の面を右側面とすると、撮影部２１の左側面が側面パネル４１Ａにより構成され、右側面が側面パネル４１Ｂにより構成される。さらに、撮影部２１の正面が正面パネル４２により構成される。側面パネル４１Ａには、上述した事前選択部２０が設置される。なお、事前選択部２０が、側面パネル４１Ｂに設置されるようにしてもよい。
【００２８】
背景部２２は、背面パネル５１、側面パネル５２Ａ、および側面パネル５２Ｂから構成される。背面パネル５１は、正面を向いている利用者の背面側に位置する板状の部材である。側面パネル５２Ａは、背面パネル５１の左端に取り付けられ、側面パネル４１Ａより横幅の狭い板状の部材である。側面パネル５２Ｂは、背面パネル５１の右端に取り付けられ、側面パネル４１Ｂより横幅の狭い板状の部材である。
【００２９】
側面パネル４１Ａと側面パネル５２Ａは、ほぼ同一平面に設けられる。側面パネル４１Ａと側面パネル５２Ａの上部は、板状の部材である連結部２３Ａによって連結される。側面パネル４１Ａと側面パネル５２Ａの下部は、床面に設けた例えば金属製の部材である連結部２３Ａ’によって連結される。側面パネル４１Ｂと側面パネル５２Ｂも同様に、ほぼ同一平面に設けられる。側面パネル４１Ｂと側面パネル５２Ｂの上部は、連結部２３Ｂによって連結される。側面パネル４１Ｂと側面パネル５２Ｂの下部は、連結部２３Ｂ’によって連結される。
【００３０】
撮影空間の床には、板状の部材である床材２７が敷かれる。
【００３１】
側面パネル４１Ａ、連結部２３Ａ、および側面パネル５２Ａに囲まれることによって形成される開口が撮影空間の出入り口となる。また、側面パネル４１Ｂ、連結部２３Ｂ、および側面パネル５２Ｂに囲まれることによって形成される開口も撮影空間の出入り口となる。
【００３２】
撮影空間の上方には、撮影部２１の正面、連結部２３Ａ、および連結部２３Ｂに囲まれた天井が形成される。その天井の一部に、天井シート２４が設けられる。天井シート２４の一端が連結部２３Ａに固定され、他端が連結部２３Ｂに固定される。
【００３３】
天井シート２４は、シート状であっても、板状であっても良い。また、天井シート２４を連結部２３に連結しない、換言すれば、天井シート２４がなく、天井に開口部が形成されているようにしても良い。
【００３４】
また天井シート２４の一部に、通気孔を設けても良い。例えば、図１に示した天井シート２４の両端（連結部２３Ａ側と連結部２３Ｂ側）に四角形状で示した部分を、通気孔としても良い。また、図１に四角形状で示した部分は、光が入射する透明な部材で形成されていても良い。
【００３５】
編集ユニット１２は、撮影画像に編集を施すための装置である。編集ユニット１２は、一方の側面が撮影部２１の正面パネル４２に接するようにして、撮影ユニット１１に連結している。
【００３６】
図１に示される編集ユニット１２の構成を正面側の構成とすると、編集ユニット１２の正面側と背面側のそれぞれに、編集作業で用いられる構成が設けられる。この構成により、２組の利用者が同時に編集作業を行うことができる。
【００３７】
編集ユニット１２の正面側は、面６１と、面６１の上方に形成された斜面６２から構成される。面６１は、床面に対して垂直で、撮影部２１の側面パネル４１Ａとほぼ平行な面である。斜面６２には、編集作業に用いられる構成として、タブレット内蔵モニタやタッチペンが設けられる。斜面６２の左側には、照明装置６４の一端を支持する柱状の支持部６３Ａが設けられる。斜面６２の右側には、照明装置６４の他端を支持する柱状の支持部６３Ｂが設けられる。支持部６３Ａの上面にはカーテンレール２６を支持する支持部６５が設けられる。
【００３８】
編集ユニット１２の上方にはカーテンレール２６が取り付けられる。カーテンレール２６は、３本のレール２６Ａ乃至２６Ｃを、組み合わせて構成される。３本のレール２６Ａ乃至２６Ｃは、上から見たときの形状がコの字状となるように組み合わせられる。平行に設けられるレール２６Ａとレール２６Ｂの一端は、連結部２３Ａと連結部２３Ｂにそれぞれ固定され、レール２６Ａとレール２６Ｂの他端は、レール２６Ｃの両端にそれぞれ接合される。
【００３９】
カーテンレール２６には、編集ユニット１２の正面前方の空間と背面前方の空間が外から見えないようにカーテンが取り付けられる。そのカーテンにより囲まれる編集ユニット１２の正面前方の空間と背面後方の空間が、利用者が編集作業を行う編集空間となる。
【００４０】
後述するが、編集ユニット１２の左側面には、印刷済みのシール紙が排出される排出口が設けられる。編集ユニット１２の左側面前方の空間が、利用者が印刷済みのシール紙が排出されるのを待つ印刷待ち空間となる。
【００４１】
＜利用者の移動について＞
ここで、写真シール作成ゲームの流れと、それに伴う利用者の移動について説明する。
【００４２】
図３は、写真シール作成装置１を上から見た平面図である。
【００４３】
利用者は、事前選択部２０の前方の空間である事前選択空間Ａ０において硬貨投入口に代金を投入する。次に、利用者は、タッチパネルモニタに表示される画面に従って各種の設定を行う。利用者は、例えば、撮影空間で行われる撮影に関するコースの選択などを事前選択作業として行う。
【００４４】
事前選択作業を終えた利用者は、白抜き矢印＃１で示すように、側面パネル４１Ａと側面パネル５２Ａの間の出入り口Ｇ１から、撮影部２１と背景部２２の間に形成された撮影空間Ａ１に入る。利用者は、撮影部２１に設けられたカメラやタッチパネルモニタなど利用して撮影作業を行う。
【００４５】
撮影作業を終えた利用者は、白抜き矢印＃２で示すように出入り口Ｇ１から撮影空間Ａ１を出て編集空間Ａ２−１に移動するか、または、白抜き矢印＃３で示すように出入り口Ｇ２から撮影空間Ａ１を出て編集空間Ａ２−２に移動する。
【００４６】
編集空間Ａ２−１は、編集ユニット１２の正面側の編集空間である。一方、編集空間Ａ２−２は、編集ユニット１２の背面側の編集空間である。利用者が編集空間Ａ２−１と編集空間Ａ２−２のいずれの空間に移動するのかは、撮影部２１のタッチパネルモニタの画面表示などによって案内される。例えば２つの編集空間のうちの空いている方が移動先として案内される。編集空間Ａ２−１または編集空間Ａ２−２に移動した利用者は、編集作業を開始する。編集空間Ａ２−１の利用者と、編集空間Ａ２−２の利用者は同時に編集作業を行うことができる。
【００４７】
編集作業が終了した後、編集画像の印刷が開始される。印刷が開始されると、編集空間Ａ２−１での編集作業を終えた利用者は、白抜き矢印＃４で示すように編集空間Ａ２−１から印刷待ち空間Ａ３に移動する。また、編集空間Ａ２−２での編集作業を終えた利用者は、白抜き矢印＃５で示すように編集空間Ａ２−２から印刷待ち空間Ａ３に移動する。
【００４８】
印刷待ち空間Ａ３に移動した利用者は、印刷が終わるのを待つ。印刷が終了すると、利用者は、編集ユニット１２の右側面に設けられた排出口から排出されたシール紙を受け取り、一連の写真シール作成ゲームを終える。
【００４９】
次に、各装置の構成について説明する。
【００５０】
＜事前選択部の構成＞
図４は、事前選択部２０の構成例を示す図である。
【００５１】
事前選択部２０の上側にはタッチパネルモニタ７１が設けられる。タッチパネルモニタ７１は、LCD(Liquid Crystal Display)などのモニタと、それに積層されたタッチパネルにより構成される。タッチパネルモニタ７１は、各種のGUI(Graphical User Interface)を表示し、利用者の選択操作を受け付ける機能を備えている。タッチパネルモニタ７１には、利用者の人数の選択などに用いられる画面が表示される。
【００５２】
タッチパネルモニタ７１の下方には、スピーカ７２が設けられる。スピーカ７２は、事前選択処理の案内音声、BGM（Back Ground Music）、効果音などを出力する。スピーカ７２に隣接するようにして、利用者が硬貨を入れる硬貨投入返却口７３が設けられる。
【００５３】
また事前選択部２０のタッチパネルモニタ７１の上側には、ケース７４が設けられている。このケース７４には、例えば、写真シール作成装置１で作成されるシールのサンプルが掲示される。また、ケース７４は、広告として用いることができ、何らかの商品のサンプルや商品説明画像（ポスター）などを掲示することもできる。
【００５４】
＜撮影部の構成＞
図５は、撮影部２１の正面の構成例を示す図である。撮影部２１は、側面パネル４１Ａ、側面パネル４１Ｂ、および正面パネル４２に囲まれるようにして構成される。
【００５５】
正面パネル４２の中央よりやや上側には、カメラユニット８１が設けられる。カメラユニット８１の正面には、カメラ９１とタッチパネルモニタ９２が設けられる。
【００５６】
カメラ９１は、例えば一眼レフカメラであり、レンズが露出するようにカメラユニット８１の内部に取り付けられる。カメラ９１は、CCD(Charge Coupled Device)イメージセンサやCMOS（Complementary Metal Oxide Semiconductor）イメージセンサなどの撮像素子を有し、撮影空間Ａ１にいる利用者を撮影する。カメラ９１は、利用者を被写体として撮影を行う撮影部として機能する。
【００５７】
カメラ９１により取り込まれた動画像（以下、ライブビュー画像ともいう）は、タッチパネルモニタ９２にリアルタイムで表示される。撮影が指示されたときなどの所定のタイミングでカメラ９１により取り込まれた静止画像は、撮影画像として保存される。
【００５８】
タッチパネルモニタ９２は、カメラ９１の下方に設けられる。タッチパネルモニタ９２は、LCDなどのモニタと、それに積層されたタッチパネルにより構成される。タッチパネルモニタ９２は、カメラ９１により取り込まれた動画像を表示するライブビューモニタとしての機能と、各種のGUIを表示し利用者の選択操作を受け付ける機能を備えている。
【００５９】
カメラユニット８１の上方には、上ストロボユニット８２が設置される。この上ストロボユニット８２は、３枚のパネル８６−１乃至８６−３（以下、パネル８６−１乃至８６−３を個々に区別する必要がない場合、単にパネル８６と記述する）が備えられ、これらのパネル８６は、正面パネル４２に対して所定の角度を有して設置されている。その角度は、パネル８６の面が、利用者側に向く角度とされている。例えば、パネル８６は、正面パネル４２に対しておよそ４５度の角度を有して設置されている。
【００６０】
上ストロボユニット８２は、利用者の正面上方から、利用者の顔および上半身に光を照射する。パネル８６は、取り外すことが可能な構成とされており、詳細は後述するが、パネル８６を取り外すと、内側には、照明用の電球や、撮影時に発光するストロボが配置されている。
【００６１】
カメラユニット８１の下方には、利用者の下半身および足元に光を照射する足元ストロボユニット８３が設けられる。
【００６２】
上ストロボユニット８２および足元ストロボユニット８３は、照明用の電球とストロボ発光可能な照明機器とにより構成される。上ストロボユニット８２および足元ストロボユニット８３は、撮影空間を明るくして、利用者の操作性や安全性を確保するために、撮影空間内を常時照らすとともに、撮影画像の画質を向上させるために、撮影タイミングでストロボ発光し、被写体となる利用者に光を照射する。
【００６３】
足元ストロボユニット８３と側面パネル４１Ａとの間には、箱状部８４が設けられる。また、足元ストロボユニット８３と側面パネル４１Ｂとの間には、箱状部８５が設けられる。箱状部８４，８５の上面は、写真シール作成装置１の設置面と略水平な面をなし、撮影作業を行う利用者が手荷物などを置くための荷物置き場として用いられる。
【００６４】
なお、正面パネル４２の例えば天井付近に、スピーカが設けられ、撮影処理の案内音声、BGM、効果音などが出力される構成としても良い。また、スピーカは、正面パネル４２ではなく、後述する背景部２２に設けられていても良い。ここでは、図６に示すように背景部２２にスピーカが設けられている場合を例に挙げて説明を続ける。
【００６５】
＜背景部の構成＞
図６は、背景部２２の撮影空間Ａ１側の構成例を示す図である。
【００６６】
背面パネル５１の上方には、背面ストロボ１０１−１と背面ストロボ１０１−２が設置されている。背面ストロボ１０１は、利用者、特に利用者の頭部に、利用者の後方かつ上方から光を照射する。
【００６７】
背面ストロボ１０１−１と背面ストロボ１０１−２の間に、スピーカ１０２−１とスピーカ１０２−２が設けられている。スピーカ１０２は、撮影処理の案内音声、BGM、効果音などを出力する。
【００６８】
なお、図６では、２つのスピーカ１０２が設けられている例を示したが、１つのスピーカ１０２が、例えば、背面ストロボ１０１−１と背面ストロボ１０１−２の中間部分に設けられているようにしたり、複数の小型のスピーカ１０２が設けられているようにしたりすることもできる。
【００６９】
背面パネル５１の撮影空間Ａ１側（図中、手前側）の面には、白色のシート１２１が貼り付けられている。ここでは、白色のシート１２１が貼り付けられているとして説明を続けるが、シート１２１の色は、白色に限らず、例えば、明るい灰色などでも良く、反射率の高い色とされる。
【００７０】
また、ここでは、シート１２１が貼り付けられているとして説明を続けるが、壁面自体が白色で塗られていたり、シート状ではなく、白色の板状のパネルが貼り付けられていたりしても良い。
【００７１】
また、カーテンユニットを設置し、そのカーテンユニットに白色のカーテンが巻き取られて収納され、撮影時に、その白色のカーテンが降りてくるような構成としても良い。またカーテンの色は、白色に限らず、例えば、明るい灰色などでも良く、反射率の高い色とすることができる。
【００７２】
＜床の構成＞
図７は、床材２７を示す斜視図である。説明の便宜上、撮影部２１、側面パネル４１Ａなどの図示は省略している。
【００７３】
床材２７の中央、または後方寄りの位置には、横長の長方形の床シート２７Ａが、その長辺が背面パネル５１と略平行になるように貼り付けられる。図７において、背面パネル５１のある方向が撮影空間Ａ１の後方となり、撮影部２１のある方向（白抜き矢印方向）が撮影空間Ａ１の前方となる。
【００７４】
床シート２７Ａには、マーク２８−１とマーク２８−２が印刷されている。マーク２８は、撮影時の立ち位置を利用者毎に誘導するための目印として用いられる。
【００７５】
例えば、利用者の人数が２人であり、上半身が大きく写る画像を撮影（アップ撮影）する場合、カメラ９１に向かって右側に立っている利用者の立ち位置として、マーク２８−１が指定され、左側に立っている利用者の立ち位置として、マーク２８−２が指定される。
【００７６】
図７に示した例では、マーク２８−１には、“ＲＩＧＨＴ”との右を意味する英単語が記載されており、右側に位置する利用者の立ち位置であることを、より明確に示す表示がされている。
【００７７】
同様にマーク２８−２には、“ＬＥＦＴ”との左を意味する英単語が記載されており、左側に位置する利用者の立ち位置であることを、より明確に示す表示がされている。
【００７８】
このマーク２８上に、利用者が位置するときに、利用者に最適に光が照射されるように、背面ストロボ１０１（図６）は、設置されている。このように、最適な写りが得られる位置を、最適撮影位置と適宜記載する。
【００７９】
なお、最適な立ち位置（最適撮影位置）は、ストロボからの光が利用者に対して十分（適切）に照射される位置、カメラ９１の撮影範囲から外れない位置、背景と顔の大きさのバランスがよくなる位置等を意味する。
【００８０】
ところで、写真シール作成装置１は、カメラ９１で撮影された画像に対してトリミングを行い、編集画面に表示される画像を生成する。
【００８１】
ここで撮影範囲とは、最終的に撮影画像として編集画面に表示される画像の範囲に対応した撮影部２１の撮像素子の範囲であるとして、説明を続けるが、撮影範囲をトリミング前の撮像素子の範囲としてもよい。
【００８２】
床シート２７Ａのマーク２８は、利用者の人数、撮影する画像の画角（範囲）などに応じて、最適な立ち位置を指定することができるような位置に印刷されているようにしても良い。すなわち、マーク２８は、図７に示したように、マーク２８−１とマーク２８−２の２つのマークだけでなく、複数人に対応した複数のマークや、異なる画角毎に対応した複数のマークが印刷されているようにしても良い。また、マーク２８の形状は、図７に示したような四角形状だけでなく、多角形、円形、星形、ハート型など、どのような形状であっても良い。
【００８３】
＜編集ユニットの構成＞
図８は、編集ユニット１２の正面側（編集空間Ａ２−１側）の構成例を示す図である。
【００８４】
斜面６２のほぼ中央には、タブレット内蔵モニタ１３１が設けられる。タブレット内蔵モニタ１３１の左側にはタッチペン１３２Ａが設けられる。タブレット内蔵モニタ１３１の右側にはタッチペン１３２Ｂが設けられる。
【００８５】
タブレット内蔵モニタ１３１は、タブレットとディスプレイを積層して構成される。タブレットは、タッチペン１３２Ａまたはタッチペン１３２Ｂを用いた操作入力を可能とする。タブレット内蔵モニタ１３１には、例えば、編集作業に用いられる編集画面が表示される。２人の利用者が同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００８６】
なお、タッチペン１３２Ａを用いた操作とタッチペン１３２Ｂを用いた操作は識別される。適宜、タブレット内蔵モニタ１３１の左側の表示に対してはタッチペン１３２Ａを用いた操作のみが可能とされ、右側の表示に対してはタッチペン１３２Ｂを用いた操作のみが可能とされる。以下、適宜、タッチペン１３２Ａとタッチペン１３２Ｂを区別する必要がない場合、まとめてタッチペン１３２という。
【００８７】
図９は、編集ユニット１２の左側面の構成例を示す図である。
【００８８】
編集ユニット１２の左側面の下側にはシール紙排出口１６１が設けられる。編集ユニット１２の内部にはプリンタが設けられている。そのプリンタにより、編集空間Ａ２−１の利用者が写る画像、または、編集空間Ａ２−２の利用者が写る画像が所定のレイアウトでシール紙に印刷され、シール紙排出口１６１から排出される。
【００８９】
＜写真シール作成装置の内部構成＞
図１０は、写真シール作成装置１の構成例を示すブロック図である。図１０において、上述した構成と同じ構成には同じ符号を付してある。重複する説明については適宜省略する。
【００９０】
図１０に示すように、写真シール作成装置１は、PC(Personal Computer)部３０１に対して、事前選択部３０２、撮影部３０４、編集部３０５Ａ，３０５Ｂ、および印刷部３０６が外部入出力インタフェース３０３を介して接続されることによって構成される。情報処理部であるPC部３０１は、例えば編集ユニット１２の筐体内部に搭載される。
【００９１】
PC部３０１を構成するCPU(Central Processing Unit)３１１、ROM(Read Only Memory)３１２、RAM(Random Access Memory)３１３は、バス３１４により相互に接続される。
【００９２】
CPU３１１は、所定のプログラムを実行し、写真シール作成装置１の全体の動作を制御する。ROM３１２は、CPU３１１が実行するプログラムやデータを記憶する。RAM３１２は、CPU３１１が処理するデータやプログラムを一時的に記憶する。
【００９３】
バス３１４には、さらに、入出力インタフェース３１５が接続される。入出力インタフェース３１５には、記憶部３１６、通信部３１７、およびドライブ３１８が接続される。
【００９４】
記憶部３１６は、ハードディスクやフラッシュメモリなどの不揮発性の記憶媒体である。記憶部３１６は、CPU３１１から供給された各種の設定情報などを記憶する。記憶部３１６に記憶されている情報はCPU３１１により適宜読み出される。
【００９５】
通信部３１７は、インターネットなどのネットワークのインタフェースである。通信部３１７は、CPU３１１による制御に従って外部の装置と通信を行う。通信部３１７は、利用者により選択された画像を、例えば写真シール作成装置１の製造メーカが管理する画像取得サイト管理サーバに送信する。通信部３１７から送信された画像は、所定の記憶領域が割り当てられて保存され、画像取得サイト管理サーバにアクセスしてきた携帯端末上で表示されたり、その携帯端末にダウンロードされたりする。
【００９６】
ドライブ３１８には、光ディスクや半導体メモリなどよりなるリムーバブルメディア３１９が適宜装着される。ドライブ３１８によりリムーバブルメディア３１９から読み出されたプログラムやデータは、CPU３１１に供給され、記憶部３１６に記憶されたり、インストールされたりする。
【００９７】
入出力インタフェース３１５には外部入出力インタフェース３０３が接続される。PC部３０１による各部の制御が、外部入出力インタフェース３０３を介して行われる。
【００９８】
事前選択部３０２は、事前選択空間Ａ０にいる利用者を対象とした事前選択処理を実現する。事前選択部３０２は、タッチパネルモニタ７１、スピーカ７２、および硬貨処理部３２１から構成される。
【００９９】
タッチパネルモニタ７１は、PC部３０１による制御に従って各種の選択画面を表示し、選択画面に対する利用者の操作を受け付ける。利用者の操作の内容を表す入力信号はPC部３０１に供給され、各種の設定が行われる。
【０１００】
硬貨処理部３２１は、硬貨投入返却口７３への硬貨の投入を検出する。硬貨処理部３２１は、所定の金額分の硬貨が投入されたことを検出した場合、ゲームの開始を指示する起動信号をPC部３０１に出力する。
【０１０１】
撮影部３０４は、撮影空間Ａ１にいる利用者を対象とした撮影処理を実現する。撮影部３０４は、照明装置３３１、カメラ９１、タッチパネルモニタ９２、およびスピーカ１０２から構成される。
【０１０２】
照明装置３３１は、撮影空間Ａ１内の各ストロボユニットであり、PC部３０１から供給される照明制御信号に従って発光する。
【０１０３】
カメラ９１は、PC部３０１によるシャッタ制御に従って撮影を行い、撮影によって得られた撮影画像（画像データ）をPC部３０１に出力する。
【０１０４】
編集部３０５Ａは、編集空間Ａ２−１にいる利用者を対象とした編集処理を実現する。編集部３０５Ａは、タブレット内蔵モニタ１３１、タッチペン１３２Ａ，１３２Ｂ、およびスピーカ３４１から構成される。編集部３０５Ｂは、編集空間Ａ２−２にいる利用者を対象とした編集処理を実現し、編集部３０５Ａと同一の構成を有する。なお、以下、編集部３０５Ａ，３０５Ｂを特に区別しない場合には、単に、編集部３０５という。
【０１０５】
タブレット内蔵モニタ１３１は、PC部３０１による制御に従って編集画面を表示し、編集画面に対する利用者の操作を受け付ける。利用者の操作の内容を表す入力信号はPC部３０１に供給され、編集対象となる撮影画像が編集される。
【０１０６】
印刷部３０６は、プリンタ３５１を含むように構成される。プリンタ３５１にはシール紙ユニット３５２が装着される。
【０１０７】
プリンタ３５１は、内蔵するヘッド３６１を駆動し、PC部３０１から供給された印刷データに基づいて、シール紙ユニット３５２に収納されているロール状のシール紙３６３に画像を印刷する。また、プリンタ３５１は、画像を印刷したシール紙３６３をカッター３６２によって所定のカット位置でカットして、シール紙排出口１６１に排出する。
【０１０８】
＜写真シール作成装置の機能構成例＞
図１１は、写真シール作成装置１の機能構成例を示すブロック図である。図１１に示す機能部のうちの少なくとも一部は、CPU３１１により所定のプログラムが実行されることによって実現される。
【０１０９】
写真シール作成装置１においては、事前選択処理部４０１、撮影処理部４０２、編集処理部４０３、および印刷処理部４０４が実現される。
【０１１０】
事前選択処理部４０１は、事前選択部３０２の各部を制御することで、事前選択処理を実行する。事前選択処理により、利用者の人数の選択、背景画像の選択などが行われる。利用者による選択内容を表す情報は撮影処理部４０２に供給される。
【０１１１】
撮影処理部４０２は、撮影部３０４の各部を制御することで撮影処理を行う。撮影処理部４０２は、撮影処理を行うことによって得られた撮影画像のデータを編集処理部４０３に出力する。撮影処理部４０２から編集処理部４０３に対しては、撮影を複数回行うことによって得られた複数枚の撮影画像のデータが供給される。
【０１１２】
編集処理部４０３は、編集部３０５の各部を制御することで編集処理を行う。編集処理には、撮影画像に写る利用者の目の大きさや肌の明るさを調整するための画像処理、撮影画像に対して編集を施すための画像処理などが含まれる。
【０１１３】
編集処理部４０３は、撮影画像の編集を終えた後、編集画像を所定のレイアウトで配置することによって印刷データを生成し、印刷処理部４０４に出力する。
【０１１４】
印刷処理部４０４は、プリンタ３５１に印刷データを出力し、編集画像の印刷を行う。
【０１１５】
＜写真シール作成装置の動作＞
ここで、図１２のフローチャートを参照して、写真シール作成ゲームを提供する写真シール作成装置１の動作について説明する。
【０１１６】
ステップＳ１において、事前選択処理部４０１は、所定の金額分の硬貨が投入されたか否かを、硬貨処理部３２１から供給される起動信号に基づいて判定し、硬貨が投入されたと判定するまで待機する。
【０１１７】
ステップＳ１において、硬貨が投入されたと判定された場合、処理はステップＳ２に進む。ステップＳ２において、事前選択処理部４０１は、事前選択部３０２を制御することで、事前選択処理を行う。具体的には、事前選択処理部４０１は、撮影空間で行われる撮影に関するコースとして、利用者の人数に応じて行われるゲームの種類を決定する人数コースや、撮影空間で行われる撮影により得られる撮影画像の背景となる背景画像の選択などを利用者に行わせることで、各種の設定を行う。
【０１１８】
ステップＳ３において、撮影処理部４０２は、撮影部３０４を制御することで、撮影処理を行う。具体的には、撮影処理部４０２は、カメラ９１に取り込まれた被写体の動画像をタッチパネルモニタ９２にライブビュー表示させ、撮影空間Ａ１にいる利用者を被写体として撮影し、撮影画像を生成する。
【０１１９】
本実施の形態の撮影処理においては、合計６回の撮影が行われる。６回の撮影により得られる６枚の撮影画像は、編集処理の対象とされてシール紙に印刷されることはもちろん、携帯端末に送信される対象にもなり得る。
【０１２０】
６回の撮影としては、５回のアップ撮影と１回の全身撮影が行われるものとするが、６回の撮影として、アップ撮影のみが行われるようにしてもよい。
【０１２１】
アップ撮影とは、被写体の顔および上半身を撮影範囲とした撮影である。アップ撮影により、撮影画像として、被写体の顔および上半身が写るアップ画像が得られる。一方、全身撮影とは、被写体の全身を撮影範囲とした撮影である。全身撮影により、撮影画像として、被写体の全身が写る全身画像が得られる。全身撮影においては、斜め上から見た被写体の全身が写る全身画像が得られるようにしてもよいし、正面から見た被写体の全身が写る全身画像が得られるようにしてもよい。なお、上述した撮影範囲は、画像の切り出し範囲を調整することで変更されてもよいし、カメラ９１のレンズの焦点距離を調整することで変更されてもよい。
【０１２２】
このようにして、撮影処理において、６枚の撮影画像が取得される。
【０１２３】
ステップＳ４において、編集処理部４０３は、編集空間Ａ２−１と編集空間Ａ２−２のうち、撮影処理を終えた利用者の移動先とした方の編集空間に対応する編集部３０５を制御することで、編集処理を行う。具体的には、編集処理部４０３は、撮影処理により得られた撮影画像に対して利用者に編集作業を行わせることで、編集が施された編集画像を生成する。
【０１２４】
ステップＳ５において、印刷処理部４０４は、プリンタ３５１を制御することで、印刷処理を行う（開始する）。具体的には、印刷処理部４０４は、編集処理により得られた編集画像をプリンタ３５１に出力してシール紙に印刷する。なお、撮影処理により得られた撮影画像が、シール紙に印刷されるようにしてもよい。
【０１２５】
印刷が終了すると、ステップＳ６において、プリンタ３５１は、画像が印刷されたシール紙をシール紙排出口１６１に排出し、処理を終了させる。
【０１２６】
ところで、本技術の写真シール作成装置１においては、透明なシール紙（以下、透明シール紙という）に撮影画像（編集画像）が印刷される。
【０１２７】
＜透明シール紙について＞
まず、図１３および図１４を参照して、透明シール紙の詳細な構成について説明する。
【０１２８】
図１３に示されるように、透明シール紙４５０は、台紙４５１とシール部４５２から構成され、シール部４５２が台紙４５１に貼着された状態で出力される。
【０１２９】
透明シール紙４５０は、光を透過し、濁っていない透明なシール紙である。したがって、透明シール紙４５０を構成する台紙４５１とシール部４５２のいずれもが透明である。
【０１３０】
図１４に示されるように、台紙４５１は、透明基材４６１と、所定の剥離剤からなる剥離層４６２から形成される。また、シール部４５２は、粘着剤からなる粘着層４７１、透明基材４７２、および受容層４７３から形成される。受容層４７３には、撮影画像４７４などが印刷される。また、図示はしないが、受容層４７３の上に、その表面を保護するための透明な保護層が印刷されるようにしてもよい。
【０１３１】
このように、台紙４５１の剥離層４６２と、シール部４５２の粘着層４７１が対向するような構造により、シール部４５２が台紙４５１から剥離可能となる。
【０１３２】
本実施の形態においては、透明シール紙４５０は、光を透過し、濁っていない透明なシール紙であるものとしたが、透光性を有する半透明なシール紙であってもよい。この場合、図１５に示されるように、透明シール紙４５０を構成する台紙４５１ｈとシール部４５２ｈはいずれも、例えば乳白色に色付けされた半透明であるものとする。
【０１３３】
なお、透明シール紙４５０を構成する台紙４５１ｈとシール部４５２ｈのいずれか一方が半透明で、他方が透明であってもよい。
【０１３４】
＜撮影画像について＞
図１６は、本実施の形態の写真シール作成装置１において得られる撮影画像の例を示す図である。
【０１３５】
上述した撮影処理により、撮影画像として、被写体の顔および上半身が写るアップ画像５１１と、被写体の全身が写る全身画像５１２が得られる。図１６の例では、全身画像５１２には、斜め上から見た被写体の全身が写っているが、正面から見た被写体の全身が写るようにしてもよい。
【０１３６】
写真シール作成装置１においては、アップ画像５１１や全身画像５１２において、被写体と背景とのバランスがとれた良い構図となるように、撮影時の利用者の立ち位置が設定されていたり、画像のトリミングが行われたりする。
【０１３７】
立ち位置の設定や画像のトリミングは、撮影画像（アップ画像５１１や全身画像５１２）全体に対して、人物の領域（人物領域）が極端に小さくなったり、大きくなったりせず、適度な余白（背景）ができるようにして行われる。
【０１３８】
人物領域が小さすぎると、利用者の顔に施される画像処理（目の大きさを変える処理や肌の色を明るくする処理など）の内容を、利用者が認識しにくくなる。逆に、人物領域が大きすぎると、落書きする領域（スタンプ画像やペン画像を配置する領域）が小さくなり、利用者が落書き（編集作業）を楽しめなくなる。
【０１３９】
したがって、撮影画像の構図を、被写体と背景とのバランスがとれた良い構図とすることで、利用者の、撮影画像に対する満足度と、落書きに対する満足度の両方を向上させることができる。
【０１４０】
なお、以下においては、被写体である利用者のみが写り、いずれの背景画像や合成用画像も合成されていない状態の撮影画像を、被写体画像ともいう。
【０１４１】
図１７は、撮影画像（被写体画像）に編集が施された編集画像の例を示す図である。
【０１４２】
図１７の編集画像５３０は、図１６のアップ画像（被写体画像）５１１に、背景画像５３１、フレーム画像５３２、および、ハート型のデザインのスタンプ画像５３３が合成されることで構成される。
【０１４３】
背景画像５３１は、被写体画像５１１に対してクロマキ合成が行われることで、被写体画像５１１に合成される。フレーム画像５３２は、被写体画像５１１の四辺（縁）の領域に合成される枠状の合成用画像である。
【０１４４】
編集画像５３０は、被写体画像５１１に対応する人物領域、人物領域の背景となり背景画像５３１に対応する背景領域、フレーム画像５３２に対応する前景領域、および、スタンプ画像５３３や図示せぬペン画像などの合成用画像に対応する合成用画像領域の各領域に区分される。
【０１４５】
なお、背景画像５３１のクロマキ合成が行われない場合、背景領域は、被写体画像５１１に写る背面パネル５１（シート１２１）の領域となる。
【０１４６】
また、編集画像５３０に対して、フィルタ処理が施されることによって、素材となる画像の画素値を変え、色味の異なる画像が生成されるようにしてもよい。このフィルタ処理は、編集画像５３０の全画素に施されるようにしてもよいし、編集画像５３０の人物領域のみや、背景領域のみに施されるようにしてもよい。
【０１４７】
図１８は、編集画像５３０のレイヤ構成を示す図である。
【０１４８】
図１８に示されるように、編集画像５３０は、背景レイヤ５５１、被写体レイヤ５５２、第１の前景レイヤ５５３、および第２の前景レイヤ５５４から構成される。
【０１４９】
背景レイヤ５５１は、背景画像５３１に相当するレイヤであり、被写体レイヤ５５２は、被写体画像５１１に相当するレイヤである。背景画像５３１のクロマキ合成が行われない場合、背景レイヤ５５１は空のレイヤとなる。この場合、背景レイヤ５５１は、全ての領域が透明な透明画像が配置された状態と同じ状態となる。
【０１５０】
第１の前景レイヤ５５３は、合成用画像のうちのフレーム画像５３２に対応するレイヤである。
【０１５１】
第２の前景レイヤ５５４は、合成用画像のうちのスタンプ画像とペン画像に対応するレイヤである。図１８の例では、スタンプ画像５３３が合成されている。
【０１５２】
すなわち、編集画像５３０における人物領域、背景領域、前景領域、および合成用画像領域の各領域の区分は、上述したレイヤ単位で行われる。
【０１５３】
本実施の形態の写真シール作成装置１において、印刷処理部４０４は、この編集画像５３０について、上述したレイヤ構成に基づき、人物領域、背景領域、前景領域、および合成用画像領域の各領域を特定し、特定した領域毎の印刷を行う。
【０１５４】
具体的には、印刷処理部４０４は、編集画像５３０における人物領域、背景領域、前景領域、および合成用画像領域の各領域の少なくともいずれかを、透明シール紙４５０に印刷する。
【０１５５】
＜印刷処理の流れ＞
ここで、図１９のフローチャートを参照して、印刷処理部４０４が実行する印刷処理の流れについて説明する。
【０１５６】
ステップＳ１１において、印刷処理部４０４は、編集画像５３０（合成用画像などが合成された撮影画像）において、人物領域を特定する。
【０１５７】
ステップＳ１２において、印刷処理部４０４は、編集画像５３０において、背景領域を特定する。
【０１５８】
人物領域と背景領域の特定は、クロマキ合成の技術を利用して行われてもよいし、マスク処理を用いて行われてもよい。
【０１５９】
ステップＳ１３において、印刷処理部４０４は、編集画像５３０において、前景領域、合成用画像領域を特定する。
【０１６０】
ステップＳ１４において、印刷処理部４０４は、プリンタ３５１を制御することによって、編集画像５３０において特定された領域のいずれかを、透明シール紙４５０に印刷する。編集画像５３０が印刷された透明シール紙４５０は、プリンタ３５１によってシール紙排出口１６１に排出される。
【０１６１】
なお、プリンタ３５１は、画像を印刷したロール状の透明シール紙を所定のカット位置でカットして、シール紙排出口１６１に排出するものとするが、あらかじめカットされた透明シール紙に画像を印刷して、シール紙排出口１６１に排出するようにしてもよい。
【０１６２】
＜印刷後の透明シール紙の例＞
図２０乃至図２３は、上述した印刷処理によって排出（出力）される、印刷後の透明シール紙の例を示す図である。
【０１６３】
図２０の透明シール紙６１０には、５枚の撮影画像（編集画像）６１１乃至６１５が、所定のシールレイアウトで配置されて印刷されている。なお、図２０の例においては、撮影画像６１１乃至６１５がいずれも同じ画像となっているが、実際にはそれぞれ異なる画像となる。
【０１６４】
５枚の撮影画像６１１乃至６１５のうち、透明シール紙６１０の中央に配置され、最も大きいサイズで印刷されている撮影画像６１１の下方は、付帯情報配置領域とされ、付帯情報として、文字情報Ｃ６００と二次元コードＤ６００が配置されて印刷されている。
【０１６５】
文字情報Ｃ６００は、写真シール作成装置１の機種名、撮影日時、メールアドレス、およびシールＩＤを表す文字列からなる。メールアドレスは、画像取得サイト管理サーバに送信された画像を取得するために送信する空メールの送信先であり、シールＩＤは、画像取得サイト管理サーバにより管理される画像取得サイトにて画像を取得するために用いられる識別情報である。
【０１６６】
二次元コードＤ６００は、画像取得サイト管理サーバに送信された画像を取得するために、利用者の所有する携帯端末などにより読み取られるコードである。二次元コードＤ６００には、画像取得サイトにアクセスし、画像を取得するための情報が含まれている。
【０１６７】
さて、図２０の例では、撮影画像６１１乃至６１５それぞれにおいて、人物領域、背景領域、前景領域、および合成用画像領域の各領域のうち、人物領域と合成用画像領域だけが透明シール紙６１０に印刷されている。なお、図示はしないが、撮影画像６１１乃至６１５それぞれにおいて、背景領域上に合成用画像が合成されている場合には、その合成用画像は印刷されるものとする。
【０１６８】
これにより、撮影画像６１１乃至６１５が透明シール紙６１０に印刷される前の画像データにおいて、細かい装飾画像を含む背景画像やフレーム画像が合成されている場合であっても、透明シール紙６１０の後方にある物体表面の色や模様によって、かえって背景画像やフレーム画像に含まれる細かい装飾画像が見えにくくなることを防ぐことができる。
【０１６９】
図２１の透明シール紙６２０には、５枚の撮影画像（編集画像）６２１乃至６２５が、所定のシールレイアウトで配置されて印刷されている。図２１の例においても、撮影画像６２１乃至６２５がいずれも同じ画像となっているが、実際にはそれぞれ異なる画像となる。
【０１７０】
５枚の撮影画像６２１乃至６２５のうち、透明シール紙６２０の中央に配置され、最も大きいサイズで印刷されている撮影画像６２１の下方には、文字情報Ｃ６００と二次元コードＤ６００が配置されて印刷されている。
【０１７１】
図２１の例では、撮影画像６２１乃至６２５それぞれにおいて、人物領域、背景領域、前景領域、および合成用画像領域の各領域のうち、人物領域と背景領域だけが透明シール紙６２０に印刷されている。
【０１７２】
これにより、撮影画像６２１乃至６２５が透明シール紙６２０に印刷される前の画像データにおいて、細かい装飾画像を含むフレーム画像、細かいスタンプ画像やペン画像が合成されている場合であっても、透明シール紙６２０の後方にある物体表面の色や模様によって、かえってフレーム画像に含まれる細かい装飾画像、細かいスタンプ画像やペン画像が見えにくくなることを防ぐことができる。
【０１７３】
図２２の透明シール紙６３０には、５枚の撮影画像（編集画像）６３１乃至６３５が、所定のシールレイアウトで配置されて印刷されている。図２２の例においても、撮影画像６３１乃至６３５がいずれも同じ画像となっているが、実際にはそれぞれ異なる画像となる。
【０１７４】
５枚の撮影画像６３１乃至６３５のうち、透明シール紙６３０の中央に配置され、最も大きいサイズで印刷されている撮影画像６３１の下方には、文字情報Ｃ６００と二次元コードＤ６００が配置されて印刷されている。
【０１７５】
図２２の例では、撮影画像６３１乃至６３５それぞれにおいて、人物領域、背景領域、前景領域、および合成用画像領域の各領域のうち、人物領域だけが透明シール紙６３０に印刷されている。
【０１７６】
これにより、撮影画像６３１乃至６３５が透明シール紙６３０に印刷される前の画像データにおいて、細かい装飾画像を含む背景画像やフレーム画像、細かいスタンプ画像やペン画像が合成されている場合であっても、透明シール紙６３０の後方にある物体表面の色や模様によって、かえって背景画像やフレーム画像に含まれる細かい装飾画像、細かいスタンプ画像やペン画像が見えにくくなることを防ぐことができる。
【０１７７】
図２３の透明シール紙６４０には、５枚の撮影画像（編集画像）６４１乃至６４５が、所定のシールレイアウトで配置されて印刷されている。図２３の例においても、撮影画像６４１乃至６４５がいずれも同じ画像となっているが、実際にはそれぞれ異なる画像となる。
【０１７８】
５枚の撮影画像６４１乃至６４５のうち、透明シール紙６４０の中央に配置され、最も大きいサイズで印刷されている撮影画像６４１の下方には、文字情報Ｃ６００と二次元コードＤ６００が配置されて印刷されている。
【０１７９】
図２３の例では、撮影画像６４１乃至６４５それぞれにおいて、人物領域、背景領域、前景画像、および合成用画像領域の各領域の全てが透明シール紙６４０に印刷されている。
【０１８０】
このように、撮影画像６４１乃至６４５が透明シール紙６４０に印刷される前の画像データの全てを、撮影画像６４１乃至６４５として透明シール紙６４０に印刷することもできる。
【０１８１】
以上の処理によれば、シール部と台紙がともに透明な透明シール紙に、撮影画像が印刷された場合、透明シール紙の後方にある物体表面の色や模様によって、かえって撮影画像に含まれる細かい部分が見えにくくなることなく、透明シール紙の特性を活かしたより良い仕上がりを実現することが可能となる。
【０１８２】
近年、シール紙のシール部を台紙から剥がして、利用者の所有する小物などに貼り付けるのではなく、シール部を台紙から剥がさずにそのまま保管することが一般的になっており、利用者は、保管しているシール紙を友達同士で交換するなどして楽しんでいる。ゆえに、本技術の写真シール作成装置１により印刷される透明シール紙は、特に、シール部を台紙から剥がさない状態で、上述した効果を奏することができる。
【０１８３】
以上のようにして撮影画像が印刷された透明シール紙を、白紙などの白色平面状の物体の上に置いた場合には、撮影画像で最も注目される人物領域の色合いが綺麗に見えるようになる。しかしながら、透明シール紙の後方にある物体表面の色や模様によっては、人物領域に、その物体表面の色や模様が透けてしまい、人物領域、特に肌の領域の色合いが変わって見えてしまう。
【０１８４】
そこで、人物領域が印刷される領域に、下地となる白色の下地画像を印刷し、その上に人物領域を印刷するようにしてもよい。
【０１８５】
これにより、例えば、図２２の透明シール紙６３０を表面と裏面から見た場合、撮影画像６３１の見た目は、それぞれ図２４に示されるようになる。
【０１８６】
図２４に示されるように、撮影画像６３１を表面から見た場合、その人物領域は、後方にある物体表面の色や模様が透けることなく見えるようになる。一方、撮影画像６３１を裏面から見た場合、その人物領域は、下地画像によって白一色に見えるようになる。
【０１８７】
これにより、撮影画像が透明シール紙に印刷された場合であっても、最も注目される人物領域を綺麗に見せつつ、透明シール紙の特性を活かしたより良い仕上がりを実現することができる。
【０１８８】
また、図２０乃至図２３を参照して説明した透明シール紙６１０乃至６４０において、付帯情報配置領域に印刷される付帯情報のうち、二次元コードＤ６００は、携帯端末により読み取られる。
【０１８９】
このとき、透明シール紙の後方にある物体表面の色や模様によっては、二次元コードＤ６００に、その物体表面の模様が透けてしまい、読み取りに失敗するおそれがある。
【０１９０】
そこで、二次元コードＤ６００が印刷される領域にも、下地となる白色の下地画像を印刷し、その上に二次元コードＤ６００を印刷するようにしてもよい。
【０１９１】
これにより、例えば、透明シール紙の付帯情報配置領域を表面と裏面から見た場合、二次元コードＤ６００の見た目は、それぞれ図２５に示されるようになる。
【０１９２】
図２５に示されるように、付帯情報配置領域を表面から見た場合、二次元コードＤ６００は、後方にある物体表面の色や模様が透けることなく見えるようになる。一方、付帯情報配置領域を裏面から見た場合、二次元コードＤ６００は、下地画像によって白一色に見えるようになる。
【０１９３】
これにより、二次元コードＤ６００が透明シール紙に印刷された場合であっても、二次元コードＤ６００に、透明シール紙の後方にある物体表面の模様が透けて、読み取りに失敗するのを防ぐことができる。
【０１９４】
なお、上述した下地画像は、プリンタ３５１を、以下で説明するような熱転写プリンタで構成することで印刷可能となる。
【０１９５】
具体的には、プリンタ３５１を、２つの印字ヘッドを備える熱転写プリンタで構成することで、下地画像を印刷することができる。
【０１９６】
２つの印字ヘッドは、インクリボンにおいて印刷に必要な領域を加熱し、インクリボンに塗布された昇華性染料インクを透明シール紙に転写する。
【０１９７】
この構成では、透明シール紙の送り方向に、第１の印字ヘッドと第２の印字ヘッドが並んで配置され、第１の印字ヘッドによる印刷の後、第２の印字ヘッドによる印刷が行われる。
【０１９８】
第１の印字ヘッドは、Ｗ（ホワイト）のインクが塗布されたインクリボンにおいて、人物領域に対応する領域を加熱することで、Ｗのインクを透明シール紙に転写する。
【０１９９】
第２の印字ヘッドは、Ｃ（シアン）、Ｍ（マゼンタ）、Ｙ（イエロー）の各色のインクが塗布されたインクリボンにおいて、印刷対象の各領域に対応する領域を加熱することで、Ｃ，Ｍ，Ｙ各色のインクを透明シール紙に転写する。
【０２００】
このような構成により、人物領域が印刷される領域に、下地となる白色の下地画像を印刷し、その上に人物領域を印刷することが可能となる。
【０２０１】
一方、プリンタ３５１を、１つの印字ヘッドを備える熱転写プリンタで構成することで、下地画像を印刷することもできる。
【０２０２】
この場合、印字ヘッドは、Ｗ，Ｃ，Ｍ，Ｙの各色のインクが塗布されたインクリボンにおいて、印刷対象の各領域に対応する領域を加熱することで、Ｗ，Ｃ，Ｍ，Ｙ各色のインクを透明シール紙に転写するようになる。
【０２０３】
なお、上述した各色のインクリボンに加え、オーバーコートつきのリボンが設けられるようにしてもよい。
【０２０４】
＜印刷される領域の選択＞
上述した処理においては、撮影画像の各領域のなかで、透明シール紙に印刷される領域は、あらかじめ決められているものとする。
【０２０５】
これに限らず、撮影画像の各領域のなかで、透明シール紙に印刷される領域を利用者に選択させるようにしてもよい。
【０２０６】
ここで、図２６のフローチャートを参照して、撮影画像の各領域のなかで、利用者に選択された領域を印刷するようにした印刷処理の流れについて説明する。
【０２０７】
なお、図２６のフローチャートにおけるステップＳ３１乃至Ｓ３３の処理は、図１９のフローチャートにおけるステップＳ１１乃至Ｓ１３の処理と同様であるので、その説明は省略する。
【０２０８】
すなわち、ステップＳ３１乃至Ｓ３３において、人物領域、背景領域、前景領域、および合成用画像領域が特定されると、処理はステップＳ３４に進む。
【０２０９】
ステップＳ３４において、印刷処理部４０４は、撮影画像（編集画像）において利用者に選択された領域を、透明シール紙に印刷する。
【０２１０】
撮影画像における利用者による領域の選択は、例えば、編集画面に表示された撮影画像において、タッチペン１３２によりその領域がタッチされることで行われたり、その領域を表すボタンが操作されることで行われるようにする。各領域を表すボタンは、物理的なボタンであってもよいし、画面上に表示されたソフトキーであってもよい。
【０２１１】
また、透明シール紙に印刷される領域を利用者が選択できるか否かが、利用者により選択された撮影に関するコースに応じて決定されるようにしてもよい。例えば、第１のコースが選択された場合には、透明シール紙に印刷される領域を利用者が選択できるようにし、第２のコースが選択された場合には、透明シール紙に印刷される領域をあらかじめ決められた領域とする。
【０２１２】
＜各領域の透過度と印刷濃度＞
撮影画像の各領域について、領域毎に透過度があらかじめ設定された撮影画像が、透明シール紙に印刷されるようにしてもよい。
【０２１３】
この場合、低い透過度が設定された領域ほど、高い印刷濃度（濃い色）で印刷され、高い透過度が設定された領域ほど、低い印刷濃度（淡い色）で印刷される。
【０２１４】
ここで、図２７のフローチャートを参照して、領域毎に透過度があらかじめ設定された撮影画像を印刷するようにした印刷処理の流れについて説明する。
【０２１５】
なお、図２７のフローチャートにおけるステップＳ５１乃至Ｓ５３の処理は、図１９のフローチャートにおけるステップＳ１１乃至Ｓ１３の処理と同様であるので、その説明は省略する。
【０２１６】
すなわち、ステップＳ５１乃至Ｓ５３において、人物領域、背景領域、前景領域、および合成用画像領域が特定されると、処理はステップＳ５４に進む。
【０２１７】
ステップＳ５４において、印刷処理部４０４は、撮影画像（編集画像）の各領域について設定された透過度に基づいて、領域毎に異なる印刷濃度で透明シール紙に印刷する。
【０２１８】
上述したように、高い透過度が設定された領域ほど、低い印刷濃度（淡い色）で印刷されるが、人物領域に高い透過度が設定された場合、透明シール紙においては、撮影画像で最も注目されるその人物領域を視認しにくくなる。
【０２１９】
例えば、図２８左側に示されるように、編集画像６６０が、被写体画像６６１（人物領域）、背景画像６６２（背景領域）、フレーム画像６６３（前景領域）、およびスタンプ画像６６４（合成用画像領域）の各領域に区分されるものとする。
【０２２０】
この編集画像６６０の各領域について、人物領域の透過度を最も低くし、背景領域、前景領域、および合成用画像領域の透過度を高く設定した場合、図２８右側に示されるような編集画像６６０Ａが透明シール紙に印刷される。
【０２２１】
編集画像６６０Ａの各領域のうちの、被写体画像６６１（人物領域）は、その印刷濃度を最も高くして印刷される。一方、背景画像６６２（背景領域）、フレーム画像６６３（前景領域）、およびスタンプ画像６６４（合成用画像領域）の各領域は、その印刷濃度を、被写体画像６６１（人物領域）より低くして印刷される。
【０２２２】
これにより、透明シール紙において、撮影画像で最も注目されるその人物領域が視認しにくくなるのを避けることができる。
【０２２３】
また、上述した処理において、高い透過度が設定された領域ほど、印刷濃度の低い白色の下地画像が印刷され、低い透過度が設定された領域ほど、印刷濃度の高い白色の下地画像が印刷されるようにしてもよい。このような処理によっても、透明シール紙において、撮影画像で最も注目される人物領域を視認しやすくすることができる。
【０２２４】
なお、撮影画像における各領域に設定された透過度が、利用者により変更されるようにしてもよい。
【０２２５】
利用者による透過度の変更は、例えば、編集画面に表示された撮影画像において、タッチペン１３２により変更対象の領域がタッチされた上で、透過度を調整するスライダやキー、ボタンなどのＧＵＩが操作されることで行われるようにする。
【０２２６】
さらに、撮影画像に複数の被写体（人物）が写っている場合、人物領域を被写体毎に区分するようにし、各被写体の人物領域毎に透過度が設定されるようにしてもよい。また、人物領域を、顔、胴体、腕、脚などの部位毎や、目、口、鼻、頬などの顔パーツ毎に区分するようにし、区分された領域毎に透過度が設定されるようにしてもよい。
【０２２７】
＜透明シール紙に印刷するか否かの条件＞
所定の条件に応じて、撮影画像を透明シール紙に印刷するか、または、白色で不透明な不透明シール紙に印刷するかが決定されるようにしてもよい。
【０２２８】
例えば、利用者により選択された撮影に関するコースに応じて、撮影画像を透明シール紙に印刷するか、または、白色で不透明な不透明シール紙に印刷するかが決定されるようにしてもよい。
【０２２９】
具体的には、撮影に関するコースとして、上述した写真シール作成ゲームが提供されるプリコースと、証明写真の撮影が行われる証明写真コースとが用意されている場合、図２９のフローチャートに示される印刷処理が実行されるようにする。
【０２３０】
すなわち、ステップＳ７１において、印刷処理部４０４は、証明写真コースが選択されたか否かを判定する。
【０２３１】
ステップＳ７１において、証明写真コースが選択されたと判定された場合、処理はステップＳ７２に進み、印刷処理部４０４は、撮影により得られた証明写真を不透明シール紙に印刷する。
【０２３２】
一方、ステップＳ７１において、証明写真コースは選択されず、プリコースが選択されたと判定された場合、処理はステップＳ７３に進み、印刷処理部４０４は、撮影により得られた撮影画像を透明シール紙に印刷する。
【０２３３】
さらに、撮影に関するコースとして、アップ撮影と全身撮影が行われる「アップ＋全身」コースと、アップ撮影のみが行われる「アップのみ」コースとが用意されるようにしてもよい。この場合、「アップ＋全身」コースが選択されたときには、撮影画像を透明シール紙に印刷し、「アップのみ」コースが選択されたときには、撮影画像を不透明シール紙に印刷するようにする。
【０２３４】
また例えば、撮影空間内において撮影タイミングで発光する各ストロボユニットの光量に応じて、撮影画像を透明シール紙に印刷するか、または、不透明シール紙に印刷するかが決定されるようにしてもよい。
【０２３５】
具体的には、各ストロボユニットの光量が弱い場合には、撮影画像を透明シール紙に印刷し、各ストロボユニットの光量が強い場合には、撮影画像を不透明シール紙に印刷するようにする。
【０２３６】
さらに、印刷対象となる撮影画像に施された画像処理の内容に応じて、撮影画像を透明シール紙に印刷するか、または、不透明シール紙に印刷するかが決定されるようにしてもよい。ここでいう画像処理の内容とは、ぼかし処理のぼかし具合、明るさ変更処理の明るさ、撮影画像に写る顔やその一部を加工したり修整するレタッチ処理の強弱、撮影画像に写る被写体の影を模した影画像の合成の有無やその領域の大きさなどとされる。
【０２３７】
さらにまた、撮影画像の印刷サイズに応じて、撮影画像を透明シール紙に印刷するか、または、不透明シール紙に印刷するかが決定されるようにしてもよい。撮影画像の印刷サイズは、編集処理において利用者に選択されるシールレイアウトによって決まる。
【０２３８】
したがって、この場合、利用者により選択されたシールレイアウトに応じて、撮影画像を透明シール紙に印刷するか、または、不透明シール紙に印刷するかが決定されるようにもできる、ということができる。
【０２３９】
具体的には、シール紙に配置される撮影画像それぞれの印刷サイズが大きい場合には、撮影画像を透明シール紙に印刷し、シール紙に配置される撮影画像それぞれの印刷サイズが小さい場合には、撮影画像を不透明シール紙に印刷するようにする。
【０２４０】
なお、撮影画像を透明シール紙に印刷するか、または、不透明シール紙に印刷するかを利用者に選択させ、その選択結果に応じて、上述した条件が決定されるようにしてもよい。
【０２４１】
例えば、利用者により撮影画像を透明シール紙に印刷することが選択された場合に、撮影に関するコースが、プリコースや「アップ＋全身」コースに決定されたり、各ストロボユニットの光量が弱い光量に決定されるようにする。逆に、利用者により撮影画像を不透明シール紙に印刷することが選択された場合には、撮影に関するコースが、証明写真コースや「アップのみ」コースに決定されたり、各ストロボユニットの光量が強い光量に決定されるようにする。
【０２４２】
＜画像取得サイト管理サーバに送信される画像＞
上述したように、写真シール作成ゲームにより得られた撮影画像（編集画像）の少なくとも１枚は、画像取得サイト管理サーバに送信される。
【０２４３】
本実施の形態の写真シール作成装置１においては、写真シール作成ゲームにより得られた撮影画像は、透明シール紙に印刷されることから、画像取得サイト管理サーバに送信される撮影画像には透過度を設定しないようにする。これにより、利用者の所有する携帯端末で閲覧される撮影画像の見た目と、透明シール紙に印刷された撮影画像の見た目を異なるものにすることができる。
【０２４４】
一方で、画像取得サイト管理サーバに送信される撮影画像に透過度が設定されるようにしてもよい。
【０２４５】
ここで、図３０のフローチャートを参照して、画像取得サイト管理サーバへの撮影画像の送信処理の流れについて説明する。
【０２４６】
なお、図３０の処理は、編集処理の中で編集処理部４０３によって実行されるものの、そのステップＳ９１乃至Ｓ９３の処理は、図１９のフローチャートにおけるステップＳ１１乃至Ｓ１３の処理と同様であるので、その説明は省略する。
【０２４７】
すなわち、ステップＳ９１乃至Ｓ９３において、人物領域、背景領域、前景領域、および合成用画像領域が特定されると、処理はステップＳ９４に進む。
【０２４８】
ステップＳ９４において、編集処理部４０３は、特定された領域毎に、それぞれ別個に透過度を設定する。例えば、編集処理部４０３は、撮影画像の背景領域に高い透過度を設定する。なお、各領域の透過度は、領域毎にあらかじめ決められていてもよいし、利用者によって設定されてもよい。
【０２４９】
ステップＳ９５において、編集処理部４０３は、通信部３１７を制御することで、領域毎に透過度が設定された撮影画像を、サーバ（画像取得サイト管理サーバ）に送信する。
【０２５０】
例えば、携帯端末上で実行されるＳＮＳ（Social Networking Service）用のアプリケーションにおけるプロフィール画像として、背景領域に透過度が設定された撮影画像を用いることで、特別な加工をせずとも、撮影画像（特に人物領域）を、背景の色になじませることができる。
【０２５１】
＜シール紙の用途＞
従来、撮影画像が印刷されたシール紙は、シール部を台紙から剥がして、利用者の所有する小物に貼り付けられる他、シール部を台紙から剥がさずに、財布などに収納して携帯するなどの用途で用いられていた。
【０２５２】
これに限らず、透明シール紙は、その特性を活かして、例えば、携帯端末としてのスマートフォンの液晶画面に貼る保護シールとして用いられるようにしてもよい。透明シール紙であれば、撮影画像が印刷されていたとしても、透明な領域が存在するため、液晶画面に貼り付けられても、画面の表示内容を確認することができる。
【０２５３】
また、透明シール紙に印刷された撮影画像が、プロジェクタなどを用いて投影されるようにしてもよい。これにより、撮影画像の人物領域のみを壁などに映し出すことができる。
【０２５４】
上述した実施の形態では、写真シール作成装置１は、得られた撮影画像や編集画像をシール紙に印刷するとともに、画像取得サイト管理サーバに送信することで利用者の携帯端末に提供する構成を採るものとした。これに限らず、撮影画像や編集画像をシール紙に印刷せずに、画像取得サイト管理サーバに送信することで利用者の携帯端末に提供するのみの構成を採ることも可能である。また逆に、撮影画像や編集画像を画像取得サイト管理サーバに送信せずに、シール紙に印刷するのみの構成を採ることも可能である。
【０２５５】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２５６】
この記録媒体は、例えば、図１０に示されるように、装置本体とは別に、写真シール作成装置１の管理者にプログラムを配信するために配布される、そのプログラムが記録されている磁気ディスク（フレキシブルディスクを含む）、光ディスク（CD-ROMおよびDVDを含む）、光磁気ディスク、もしくは半導体メモリなどよりなるリムーバブルメディア３１９により構成される。また、これらだけでなく、記録媒体は、装置本体にあらかじめ組み込まれた状態で管理者に配信されるプログラムが記録されているROM３１２や、記憶部３１６に含まれるハードディスクなどで構成される。
【０２５７】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２５８】
以上において、印刷媒体は、シール紙や写真紙に限られるものではない。例えば、所定のサイズの紙やフィルム、プリペイドカードやIC（Integrated Circuit）カードなどのカード、あるいは、Ｔシャツなどの布地などに、画像を印刷するようにしてもよい。この場合、１または複数の撮影画像が配置されたシールレイアウト画像が、これらの印刷媒体に印刷されるようにしてもよい。
【０２５９】
また、本技術の実施の形態は、上述した実施の形態に限定されるものではなく、本技術の要旨を逸脱しない範囲において種々の変更が可能である。
【０２６０】
なお、本明細書に記載された効果はあくまで例示であって限定されるものではなく、他の効果があってもよい。
【符号の説明】
【０２６１】
１  写真シール作成装置
４０１  事前選択処理部
４０２  撮影処理部
４０３  編集処理部
４０４  印刷処理部
【図１】
2019113655.tif 000003
【図２】
2019113655.tif 000004
【図３】
2019113655.tif 000005
【図４】
2019113655.tif 000006
【図５】
2019113655.tif 000007
【図６】
2019113655.tif 000008
【図７】
2019113655.tif 000009
【図８】
2019113655.tif 000010
【図９】
2019113655.tif 000011
【図１０】
2019113655.tif 000012
【図１１】
2019113655.tif 000013
【図１２】
2019113655.tif 000014
【図１３】
2019113655.tif 000015
【図１４】
2019113655.tif 000016
【図１５】
2019113655.tif 000017
【図１６】
2019113655.tif 000018
【図１７】
2019113655.tif 000019
【図１８】
2019113655.tif 000020
【図１９】
2019113655.tif 000021
【図２０】
2019113655.tif 000022
【図２１】
2019113655.tif 000023
【図２２】
2019113655.tif 000024
【図２３】
2019113655.tif 000025
【図２４】
2019113655.tif 000026
【図２５】
2019113655.tif 000027
【図２６】
2019113655.tif 000028
【図２７】
2019113655.tif 000029
【図２８】
2019113655.tif 000030
【図２９】
2019113655.tif 000031
【図３０】
2019113655.tif 000032